(57)【要約】【課題】パイロットチャネル又はプリアンブル信号の搬送波対雑音比（Ｃ／Ｉ）に基づいて最適なダイバーシティ受信状態を決定することのできる高速データ伝送方式の移動通信システムにおける移動局受信ダイバーシティ装置及びその方法を提供する。【解決手段】第１利得制御信号によって第１アンテナの受信信号をスイッチングする第１増幅器１０８と、第２利得制御信号によって第２アンテナの受信信号をスイッチングする第２増幅器１１０と、第１位相制御信号によって第１増幅器の出力信号を位相シフトする第１移相器１１２と、第２位相制御信号によって第２増幅器の出力信号を位相シフトする第２移相器１１４と、第１及び第２移相器の各出力信号を合成する合成器と、合成器の出力信号からパイロットチャネルの信号品質を測定し、測定されたパイロットチャネルの信号品質によって最適なダイバーシティ受信状態を制御する受信信号処理部１３０とを含む。【選択図】図２
2004343757.tif 000002
【特許請求の範囲】
【請求項１】
第１利得制御信号によって第１アンテナの受信信号をスイッチングする第１増幅器と、
第２利得制御信号によって第２アンテナの受信信号をスイッチングする第２増幅器と、
第１位相制御信号によって前記第１増幅器の出力信号を位相シフトする第１移相器と、
第２位相制御信号によって前記第２増幅器の出力信号を位相シフトする第２移相器と、
前記第１及び第２移相器の各出力信号を合成する合成器と、
前記合成器の出力信号からパイロットチャネルの信号品質を測定し、該測定されたパイロットチャネルの信号品質によって最適なダイバーシティ受信状態に制御する受信信号処理部とを含んで構成されることを特徴とする高速データ伝送方式の移動通信システムにおける移動局受信ダイバーシティ装置。
【請求項２】
前記パイロットチャネルは、順方向チャネルに周期的に存在することを特徴とする請求項１記載の高速データ伝送方式の移動通信システムにおける移動局受信ダイバーシティ装置。
【請求項３】
前記パイロットチャネルの信号品質は、前記パイロットチャネルの搬送波対雑音比（Ｃ／Ｉ）の測定値によって判断されることを特徴とする請求項１記載の高速データ伝送方式の移動通信システムにおける移動局受信ダイバーシティ装置。
【請求項４】
前記第１移相器は、前記第１位相制御信号によって、０゜及び９０゜の位相シフトを行うことを特徴とする請求項１記載の高速データ伝送方式の移動通信システムにおける移動局受信ダイバーシティ装置。
【請求項５】
前記第２移相器は、前記第２位相制御信号によって、０゜及び１８０゜の位相シフトを行うことを特徴とする請求項１記載の高速データ伝送方式の移動通信システムにおける移動局受信ダイバーシティ装置。
【請求項６】
前記第１及び第２移相器による位相シフトは、前記第１及び第２位相制御信号によって、０゜、９０゜、２７０゜及び１８０゜の位相角度で行われることを特徴とする請求項１記載の高速データ伝送方式の移動通信システムにおける移動局受信ダイバーシティ装置。
【請求項７】
前記受信信号処理部は、選択された最適なダイバーシティ受信状態の維持時間を、現在受信されたパイロットチャネルのＣ／Ｉ値の変化量によって決定することを特徴とする請求項１記載の高速データ伝送方式の移動通信システムにおける移動局受信ダイバーシティ装置。
【請求項８】
前記最適なダイバーシティ受信状態の維持時間は、前記Ｃ／Ｉ値の変化量が大きいと減少され、前記Ｃ／Ｉ値の変化量が少ないと増加されることを特徴とする請求項７記載の高速データ伝送方式の移動通信システムにおける移動局受信ダイバーシティ装置。
【請求項９】
前記受信信号処理部は、前記合成器の出力信号をベースバンド信号に変換及び逆拡散するベースバンド信号処理部と、
前記ベースバンド信号処理部から出力された各アンテナのパイロットチャネルのＣ／Ｉ値を測定し、現在受信されたパイロットチャネルの変化状態を感知するパイロットチャネルＣ／Ｉ測定器と、
前記測定された各アンテナのパイロットチャネルＣ／Ｉ値によって、最適なダイバーシティ受信動作を選択し、前記感知されたパイロットチャネルの変化状態によって、前記選択されたダイバーシティ受信動作の維持時間を決定するダイバーシティ制御部とから構成されることを特徴とする請求項７記載の高速データ伝送方式の移動通信システムにおける移動局受信ダイバーシティ装置。
【請求項１０】
前記ダイバーシティ制御部は、パイロットチャネルの開始時点に前記最適なダイバーシティ受信動作を選択することを特徴とする請求項９記載の高速データ伝送方式の移動通信システムにおける移動局受信ダイバーシティ装置。
【請求項１１】
前記ダイバーシティ制御部は、前記選択された最適なダイバーシティ受信動作によって、前記パイロットチャネルの開始時点に、前記第１及び第２利得制御信号と前記第１及び第２位相制御信号とを発生させることを特徴とする請求項１０記載の高速データ伝送方式の移動通信システムにおける移動局受信ダイバーシティ装置。
【請求項１２】
各アンテナのパイロットチャネルの信号品質を各々測定する段階と、
同位相に合成された各アンテナのパイロットチャネルの信号品質を補償された位相差別に各々測定する段階と、
前記各パイロットチャネルの信号品質によって最適なダイバーシティ受信状態を選択する段階と、
現在受信されたパイロットチャネルの変化量によって、最適なダイバーシティ受信状態の維持時間を制御する段階とを有することを特徴とする高速データ伝送方式の移動通信システムにおける移動局受信ダイバーシティ方法。
【請求項１３】
前記パイロットチャネルは、順方向チャネルに周期的に存在することを特徴とする請求項１２記載の高速データ伝送方式の移動通信システムにおける移動局受信ダイバーシティ方法。
【請求項１４】
前記パイロットチャネルの信号品質は、逆拡散されたパイロットチャネルのＣ／Ｉ測定値を示すことを特徴とする請求項１２記載の高速データ伝送方式の移動通信システムにおける移動局受信ダイバーシティ方法。
【請求項１５】
前記補償された位相差別に測定する段階は、同位相に合成された各パイロットチャネルのＣ／Ｉを０゜、９０゜、２７０゜及び１８０゜の補償位相差別に測定する段階を有することを特徴とする請求項１２記載の高速データ伝送方式の移動通信システムにおける移動局受信ダイバーシティ方法。
【請求項１６】
前記最適なダイバーシティ受信状態を選択する段階は、各アンテナのパイロットチャネルのＣ／Ｉ値に所定値以上の差があると、最も大きいパイロットチャネルのＣ／Ｉ値を有するアンテナを選択する段階と、
前記選択されたアンテナから受信信号を受信する段階と、
前記各アンテナのパイロットチャネルのＣ／Ｉ値に所定値以上の差がないと、同位相に合成されたパイロットチャネルのＣ／Ｉ値中、最も大きいパイロットチャネルのＣ／Ｉ値に相当する位相シフトの同位相合成を選択する段階と、
前記選択された同位相合成に従って相当する位相差をシフトした後、合成過程を経て受信信号を受信する段階とを有することを特徴とする請求項１２記載の高速データ伝送方式の移動通信システムにおける移動局受信ダイバーシティ方法。
【請求項１７】
前記最適なダイバーシティ受信状態の維持時間を制御する段階は、前記現在受信されたパイロットチャネルのＣ／Ｉ値の変化量を感知する段階と、
前記Ｃ／Ｉ値の変化量が大きい場合、前記維持時間を減少させる段階と、
前記Ｃ／Ｉ値の変化量が小さい場合、前記維持時間を増加させる段階とを有することを特徴とする請求項１２記載の高速データ伝送方式の移動通信システムにおける移動局受信ダイバーシティ方法。
【請求項１８】
前記最適なダイバーシティ受信状態の維持時間を制御する段階における維持時間のインターバルで、最適なダイバーシティ受信状態を選択する段階を更に有することを特徴とする請求項１２記載の高速データ伝送方式の移動通信システムにおける移動局受信ダイバーシティ方法。
【請求項１９】
前記最適なダイバーシティ受信状態は、前記パイロットチャネルの開始時点に選択されることを特徴とする請求項１８記載の高速データ伝送方式の移動通信システムにおける移動局受信ダイバーシティ方法。
【請求項２０】
第１アンテナのパイロットチャネルのＣ／Ｉ値を測定する段階と、
第２アンテナのパイロットチャネルのＣ／Ｉ値を測定する段階と、
前記二つのパイロットチャネルのＣ／Ｉ値の差が基準レベルより大きい場合、前記第１及び第２アンテナ中より大きいパイロットチャネルのＣ／Ｉ値（第１パイロットチャネルＣ／Ｉ値）のアンテナを通して受信信号を受信する段階と、
前記二つのパイロットチャネルのＣ／Ｉ値の差が基準レベルより大きくない場合、前記第１及び第２アンテナのパイロットチャネルを同位相合成する段階とを有することを特徴とする高速データ伝送方式の移動通信システムにおける移動局受信ダイバーシティ方法。
【請求項２１】
前記同位相合成する段階は、同位相合成された各パイロットチャネルのＣ／Ｉ値を補償された位相角度別に測定する段階と、
前記測定された同位相合成された各パイロットチャネルのＣ／Ｉ値中、最も大きいＣ／Ｉ値を抽出する段階と、
前記第１パイロットチャネルのＣ／Ｉ値と前記抽出されたＣ／Ｉ値とを比較する段階と、
前記抽出されたＣ／Ｉ値が前記第１パイロットチャネルのＣ／Ｉ値より大きいとき、前記抽出されたＣ／Ｉ値に相当する位相角度補償の同位相合成を経て受信信号を受信する段階とを有することを特徴とする請求項２０記載の高速データ伝送方式の移動通信システムにおける移動局受信ダイバーシティ方法。
【請求項２２】
前記抽出されたＣ／Ｉ値が前記第１パイロットチャネルのＣ／Ｉ値より大きくないとき、前記第１パイロットチャネルのＣ／Ｉ値を有するアンテナを通して受信信号を受信する段階を更に有することを特徴とする請求項２１記載の高速データ伝送方式の移動通信システムにおける移動局受信ダイバーシティ方法。
【発明の詳細な説明】
【技術分野】
【０００１】
本発明は、高速データ伝送（Ｈｉｈｇ  Ｄａｔａ  Ｒａｔｅ；ＨＤＲ）方式の移動通信システムに関するもので、詳しくは、移動局の受信ダイバーシティ装置及びその方法に関するものである。
【背景技術】
【０００２】
一般に、ダイバーシティ技法とは、無線通信システムで受信信号の品質を向上するために使用される技術をいい、そのダイバーシティ技法が適用されるシステムの受信装置は、二つ以上のアンテナを備えて、それらアンテナから受信された各信号を適切に選択（ｓｅｌｅｃｔｉｏｎ  ｏｒ  ｓｗｉｔｃｈｉｎｇ）又は合成（ｃｏｍｂｉｎｉｎｇ）することで、既存のアンテナを一つだけ使用する受信装置よりも一層受信信号の品質を向上することができる（例えば、特許文献１、２、３参照）。
【０００３】
そのダイバーシティ技法は、選択又はスイッチング（ｓｅｌｅｃｔｉｏｎ  ｏｒ  ｓｗｉｔｃｈｉｎｇ）技法、同位相合成（ｉｎ−ｐｈａｓｅ  ｃｏｍｂｉｎｉｎｇ  ｏｒ  ｅｑｕａｌ−ｇａｉｎ  ｃｏｍｂｉｎｉｎｇ）技法及び最大比率合成（ｍａｘｉｍａｌ  ｒａｔｉｏ  ｃｏｍｂｉｎｉｎｇ）技法の３種類に大別されるが、各ダイバーシティ技法に対して説明すると次のようである。
【０００４】
（１）選択又はスイッチング技法
選択又はスイッチングダイバーシティ技法（以下、選択ダイバーシティ技法と記す）は、複数のアンテナから受信された信号中最も強い信号を選択的に受信する方法であって、複数のアンテナから受信された全ての信号が同時に所定受信感度以下に低下しない限り、所定水準以上の受信信号品質を得ることができる。
【０００５】
（２）同位相合成技法
同位相合成ダイバーシティ技法は、各アンテナから受信された信号の位相を同位相（ｉｎ−ｐｈａｓｅ）に調節した後、合成された信号を最終受信信号として使用する方法であって、選択ダイバーシティ技法と同様に、単純に信号を選択せずに、信号を合成するため、信号の品質をより大きく向上することができる。同位相合成ダイバーシティ技法は、信号の位相を調節する移相器（ｐｈａｓｅ  ｓｈｉｆｔｅｒ）が必要であって、受信信号の強度が時間によって変化するフェーディング（ｆａｄｉｎｇ）環境だけでなく、受信信号の強度が時間によって変化しない静的環境でも受信信号の品質を向上することができる。しかし、同位相合成ダイバーシティ技法は、各受信信号電力の差が大きい場合、他の受信信号に比べて非常に小さな受信信号をそのまま合成すると、最終の合成出力で信号成分には若干の利得を加えることができるが、雑音は他の受信信号と同様な量が加えられるため、合成出力の信号対雑音比（ｓｉｇｎａｌ  ｔｏ  ｎｏｉｓｅ  ｒａｔｉｏ；ＳＮＲ）は却って悪化するという問題点がある。
【０００６】
（３）最大比率合成技法
最大比率合成ダイバーシティ技法は、各受信信号の個別位相だけでなく、大きさも調節した後に合成する方法であって、各アンテナから受信した信号の強度を検出した後、大きい信号はより大きく増幅し、小さな信号はより小さく減衰させることで、これら信号を全て合成する。このとき、合成する前に信号を増幅又は減衰する理由は、同位相合成ダイバーシティ技法の問題点を解決するためである。即ち、他の受信信号に比べて電力が非常に小さい受信信号が減衰されると、雑音成分も減衰されるため、最大比率合成ダイバーシティ技法は、合成出力信号の信号対雑音比の劣化を防止することができる。
【０００７】
図４は従来の選択ダイバーシティ技法に係るダイバーシティ装置の一例を示したブロック図である。
図に示すように、選択ダイバーシティ技法に係るダイバーシティ装置においては、複数のアンテナ１、２中何れか一つを選択するアンテナスイッチ部３と、アンテナスイッチ部３を通過した受信信号を再生（ｒｅｃｏｖｅｒ）して、受信信号の瞬時レベルを出力する受信機４と、受信機４から出力された受信信号の平均値を適応な基準レベルとして出力する基準レベル変化器５と、基準レベル変化器５から出力された適応な基準レベルから上位基準レベル及び下位基準レベルを設定し、受信機４から出力された受信信号の瞬時レベルと設定された上位基準レベル及び下位基準レベルとを比較し、その比較結果によって駆動信号を出力するレベル比較器６と、レベル比較器６から出力された駆動信号によりアテナスイッチ部３のスイッチングを制御するスイッチング駆動部７とを包含して構成されている。
【０００８】
以下、このように構成された従来の選択ダイバーシティ技法に係るダイバーシティ装置の動作に対して説明する。
まず、受信機４はアンテナスイッチ部３を通過した受信信号を再生して、その受信信号の瞬時レベルを出力する。次いで、基準レベル変化器５は受信機４から出力された受信信号の瞬時レベルから受信信号の平均値を求め、求められた平均値を適応な基準レベルとして出力する。次いで、レベル比較器６は、基準レベル変化器５から出力された適応な基準レベルから上位基準レベル及び下位基準レベルを設定し、受信機４から出力された受信信号の瞬時レベルと設定された上位基準レベル及び下位基準レベルとを比較し、その比較結果によって駆動信号をスイッチ駆動部７に出力する。次いで、スイッチ駆動部７は駆動信号によってアンテナスイッチ部３のスイッチングを制御する。
このような選択ダイバーシティ技法に係るダイバーシティ装置は、特定のアンテナから受信された信号の強度が所定基準レベルより小さいと受信信号が強い他のアンテナにスイッチングする。
【０００９】
図５は、従来の同位相合成ダイバーシティ技法に係るダイバーシティ装置の一例を示したブロック図であって、図に示すように、従来の同位相合成ダイバーシティ技法に係るダイバーシティ装置は、位相選択スイッチ１２、移相器１３、合成器１４、同調器１５、第１増幅器１６、局部発振器１７、ミキサー１８、中間増幅器１９、復調部２０、受信電界強度検出器２１、制御部２２、及び論理回路部２３とを含んで構成されている。
【００１０】
このとき、位相選択スイッチ１２及び移相器１３は、複数のアンテナ１１ａ、１１ｂ中何れか一つのアンテナ（第１アンテナ１１ａ）に受信された第１受信信号を所定角度の間隔で位相シフトを行い、合成器１４は、位相シフトされた第１受信信号と第２アンテナ１１ｂに受信された第２受信信号とを合成し、同調器１５は合成された信号から所望の信号を選択する。又、第１増幅器１６は同調器１５から出力された信号を増幅し、局部発振器１７は局部発振周波数を発生させ、ミキサー１８は増幅された信号を局部発振周波数を利用して中間周波数信号として出力し、中間増幅器１９は中間周波数信号を増幅し、復調部２０は増幅された中間周波数信号を復調する。又、受信電界強度検出器２１は増幅された中間周波数信号の受信レベルを検出し、制御部２２は検出された受信レベルと所定基準レベルとを比較して結果値を出力し、論理回路部２３は受信レベルと所定基準レベルとを比較して結果値を出力し、該結果値によってスイッチ制御信号が前記位相選択スイッチ１２に出力される。
【００１１】
以下、このような同位相合成ダイバーシティ技法に係るダイバーシティ装置の動作に対して説明する。
まず、第１アンテナ１１ａに受信された信号は位相選択スイッチ１２及び移相器１３により０゜、９０゜、１８０゜及び２７０゜中何れか一つに位相シフトされた後、第２アンテナ１１ｂに受信された信号及び合成器１４により同位相（ｉｎ−ｐｈａｓｅ）合成され、合成された信号は、同調器１５、第１増幅器１６、ミキサー１８及び中間増幅器１９を各々経て中間周波数信号に変換される。次いで、復調部２０は中間周波数信号を復調する。
【００１２】
受信電界強度検出器２１は、中間周波数信号の受信レベルを検出するが、このとき、最も大きい受信レベルが検出されるように周期的に位相をシフトさせる。
次に、制御部２２は、受信電界強度検出器２１から検出された受信レベルを基準レベルと比較し、受信レベルが基準レベルより大きいと、現状態を維持するために位相選択スイッチ１２を制御し、受信レベルが基準レベルより大きくないと、制御部２２は位相選択スイッチ１２を次の位相角度接点にスイッチングする。
このような同位相合成ダイバーシティ技法に係るダイバーシティ装置は、大きな受信レベルを得るために受信信号の位相シフトを周期的に行う。
【００１３】
図６及び図７は、従来の最大比率合成ダイバーシティ技法に係るダイバーシティ装置の一例を示したブロック図である。
図に示すように、従来の最大比率合成ダイバーシティ技法に係るダイバーシティ装置は、ダイバーシティアンテナ３２、５２から受信された信号を遅延器４２、６２により時間遅延（ｔｉｍｅ  ｄｅｌａｙ）させた後、主アンテナ３０、５０から受信された信号及び合成器４４、６４により合成する。このような最大比率合成ダイバーシティ技法に係るダイバーシティ装置は、ＰＮコードによりデータを拡散するＣＤＭＡ通信システムの特性を利用した発明であって、遅延器４２、６２から発生するダイバーシティアンテナ３２、５２の受信信号の遅延時間がＰＮコードの一チップ周期より大きいと、この遅延された受信信号は主アンテナ３０、５０の受信信号と独立的（ｕｎｃｏｒｒｅｌａｔｅｄ）な信号である。従って、合成器４４、６４から合成された主アンテナ３０、５０の受信信号及びダイバーシティアンテナ３２、５２の受信信号は、ＣＤＭＡモデムに内蔵されたレイク受信機（Ｒａｋｅ  ｒｅｃｅｉｖｅｒ）によって再び分離されることで、最大比率合成（ｍａｘｉｍａｌ  ｒａｔｉｏ  ｃｏｍｂｉｎｉｎｇ）される。図６及び図７に示すダイバーシティ装置は、ダイバーシティ受信の動作原理は同様であるが、図６に示すダイバーシティアンテナ３２は受信のみを行う反面、図７に示すダイバーシティアンテナ５２は送信及び受信を全て行うという点で異なる。
尚、説明されない符号３６は帯域通過フィルタ（Ｂａｎｄ  Ｐａｓｓ  Ｆｉｌｔｅｒ；ＢＰＦ）、符号４６、７０は電力増幅器（Ｐｏｗｅｒ  Ａｍｐｌｉｆｉｅｒ；ＰＡ）、符号３８、４０、６８は低雑音増幅器（Ｌｏｗ  Ｎｏｉｓｅ  Ａｍｐｌｉｆｉｅｒ；ＬＮＡ）である。
【００１４】
【特許文献１】韓国特許出願公開第１９９９−０７６８６７号明細書
【特許文献２】韓国特許出願公開第１９９７−００９９０３号明細書
【特許文献３】韓国特許出願公開第１９９９−０１６６３６号明細書
【発明の開示】
【発明が解決しようとする課題】
【００１５】
しかしながら、このような従来ダイバーシティ装置においては、従来の選択ダイバーシティ技法に係るダイバーシティ装置の場合、受信信号の強度が時間によって変化するフェーディング（ｆａｄｉｎｇ）環境では、単一アンテナシステムに比べて信号品質の向上が期待されるが、受信信号の強度が時間によって変化しない静的環境では、単一アンテナシステムに比べて如何なる受信信号の品質も向上されないという問題点があった。
【００１６】
又、従来の同位相合成ダイバーシティ技法に係るダイバーシティ装置の場合、第１アンテナ１１ａ及び第２アンテナ１１ｂに受信された信号の強度差が大きいときは、合成器１４に出力された合成信号の信号対雑音比が却って低下し、且つ、移相器１３及び合成器１４が第１増幅器１６の前端に位置するため、移相器１３及び合成器１４から発生する信号損失がダイバーシティ装置の全体的な雑音指数（ｎｏｉｓｅ  ｆｉｇｕｒｅ）を増加させて受信感度を低下させ、その結果、ダイバーシティ具現による受信信号の品質の向上を図ることができない。又、第１アンテナ１１ａの受信信号のみを位相シフトさせるため、第１アンテナ１１ａの受信信号の平均電力及び第２アンテナ１１ｂの受信信号の平均電力に不平衡（ｕｎｂａｌａｎｃｅ）が発生することで、ダイバーシティ受信性能を低下させるという問題点があった。
【００１７】
又、従来の最大比率合成ダイバーシティ技法に係るダイバーシティ装置の場合、受信信号をＰＮコードの最小１チップ以上の時間の間遅延させる遅延器を使用し、１ＭＨｚチップレートを有するＰＮコードのとき、遅延器は最小１μｓ以上の遅延を行う（図６及び図７に示したダイバーシティ装置では、５μｓ〜１０μｓが好ましい）。一般に、アナログ信号を１μｓ以上遅延させる回路素子は容積が大きいため、無線端末機（移動局）に適用することは困難である。又、このような遅延器回路素子は、相当な信号電力の損失を伴うため、受信感度の低下及び受信信号の平均電力の不平衡が発生することで、ダイバーシティ受信性能が低下するという問題点があった。
【００１８】
又、従来のダイバーシティ装置においては、受信信号の強度（ｒｅｃｅｉｖｅｄ  ｓｉｇｎａｌ  ｓｔｒｅｎｇｔｈ  ｉｎｄｉｃａｔｉｏｎ；ＲＳＳＩ）に基づいてダイバーシティ制御を行うが、ＣＤＭＡ（ｃｏｄｅ  ｄｉｖｉｓｉｏｎ  ｍｕｌｔｉｐｌｅ  ａｃｃｅｓｓ）システムでは、多様な基地局が同様な周波数帯域でＰＮオフセット（ｏｆｆｓｅｔ）を異にして同時に信号を伝送するため、各信号の干渉（ｉｎｔｅｒｆｅｒｅｎｃｅ）が実際の信号品質に大きな影響を及ぼすようになる。従って、ＣＤＭＡシステムでは、同様なＲＳＳＩ値であっても、他の基地局による干渉量がどの程度であるかによって信号品質が変化するため、正確な信号品質の測定によるダイバーシティの制御が困難であるという問題点があった。
【００１９】
さらに、従来のダイバーシティ装置においては、高速データ伝送（Ｈｉｈｇ  Ｄａｔａ  Ｒａｔｅ；ＨＤＲ）方式の移動通信システムでは、ＣＤＭＡ技術を利用したパケット基盤の無線データ伝送技術としてメガ単位の高速データ伝送が可能であるが、このようなＨＤＲ移動通信システムに従来のダイバーシティ装置が適用された場合、信号品質測定の正確度が低下することで、正確なダイバーシティ制御が困難であるという問題点があった。
【００２０】
そこで、本発明は上記従来のダイバーシティ装置における問題点に鑑みてなされたものであって、本発明の目的は、同期するためのパイロットチャネル又はプリアンブル（ｐｒｅａｍｂｌｅ）信号が周期的に存在する順方向無線チャネルで、パイロットチャネル又はプリアンブル信号の搬送波対雑音比（Ｃａｒｒｉｅｒ  ｔｏ  Ｉｎｔｅｒｆｅｒｅｎｃｅ  ｒａｔｉｏ；以下、Ｃ／Ｉと記す）に基づいて最適なダイバーシティ受信状態を決定することのできる高速データ伝送方式の移動通信システムにおける移動局受信ダイバーシティ装置及びその方法を提供することにある。
【００２１】
又、本発明の他の目的は、複数のアンテナを通過した各パイロットチャネルのＣ／Ｉの変化によって、同位相合成ダイバーシティ受信動作及び選択ダイバーシティ受信動作を選択的に行うことで、最適なダイバーシティ受信状態を維持し得る高速データ伝送方式の移動通信システムにおける移動局受信ダイバーシティ装置及びその方法を提供することにある。
【００２２】
又、本発明の他の目的は、同位相合成ダイバーシティ及び選択ダイバーシティの動作を全て行えるため、受信信号の強度が時間によって変化するフェーディング（ｆａｄｉｎｇ）環境でも、さらに、受信信号の強度が時間によって変化しない静的環境でも信号品質を向上し得る高速データ伝送方式の移動通信システムにおける移動局受信ダイバーシティ装置及びその方法を提供することにある。
【００２３】
又、本発明の他の目的は、各アンテナの受信信号に対して位相シフトを各々行うことで、特定アンテナの受信信号のみを位相シフトすることで発生した各受信信号間の平均電力不平衡（ｕｎｂａｌａｎｃｅ）を除去することのできる高速データ伝送方式の移動通信システムにおける移動局受信ダイバーシティ装置及びその方法を提供することにある。
【００２４】
又、本発明の他の目的は、移相器及び合成器を増幅器の次に連結することで、移相器及び合成器から発生した信号損失が全体のダイバーシティ装置に及ぼす影響を最小化し得る高速データ伝送方式の移動通信システムにおける移動局受信ダイバーシティ装置及びその方法を提供することにある。
【課題を解決するための手段】
【００２５】
上記目的を達成するためになされた本発明による高速データ伝送方式の移動通信システムにおける移動局受信ダイバーシティ装置は、第１利得制御信号によって第１アンテナの受信信号をスイッチングする第１増幅器と、第２利得制御信号によって第２アンテナの受信信号をスイッチングする第２増幅器と、第１位相制御信号によって前記第１増幅器の出力信号を位相シフトする第１移相器と、第２位相制御信号によって前記第２増幅器の出力信号を位相シフトする第２移相器と、前記第１及び第２移相器の各出力信号を合成する合成器と、前記合成器の出力信号からパイロットチャネルの信号品質を測定し、該測定されたパイロットチャネルの信号品質によって最適なダイバーシティ受信状態に制御する受信信号処理部とを含んで構成されることを特徴とする。
【００２６】
又、前記受信信号処理部は、選択された最適なダイバーシティ受信状態の維持時間を、現在受信されたパイロットチャネルのＣ／Ｉ値の変化量によって決定することを特徴とする。
【００２７】
上記目的を達成するためになされた本発明による高速データ伝送方式の移動通信システムにおける移動局受信ダイバーシティ方法は、各アンテナのパイロットチャネルの信号品質を各々測定する段階と、同位相に合成された各アンテナのパイロットチャネルの信号品質を補償された位相差別に各々測定する段階と、前記各パイロットチャネルの信号品質によって最適なダイバーシティ受信状態を選択する段階と、現在受信されたパイロットチャネルの変化量によって、最適なダイバーシティ受信状態の維持時間を制御する段階とを有することを特徴とする。
【００２８】
又、前記最適なダイバーシティ受信状態を選択する段階は、各アンテナのパイロットチャネルのＣ／Ｉ値に所定値以上の差があると、最も大きいパイロットチャネルのＣ／Ｉ値を有するアンテナを選択する段階と、前記選択されたアンテナから受信信号を受信する段階と、前記各アンテナのパイロットチャネルのＣ／Ｉ値に所定値以上の差がないと、同位相に合成されたパイロットチャネルのＣ／Ｉ値中、最も大きいパイロットチャネルのＣ／Ｉ値に相当する位相シフトの同位相合成を選択する段階と、前記選択された同位相合成に従って相当する位相差をシフトした後、合成過程を経て受信信号を受信する段階とを有することを特徴とする。
又、前記最適なダイバーシティ受信状態の維持時間を制御する段階における維持時間のインターバルで、最適なダイバーシティ受信状態を選択する段階を更に有することを特徴とする。
又、前記最適なダイバーシティ受信状態は、前記パイロットチャネルの開始時点に選択されることを特徴とする。
【００２９】
上記目的を達成するためになされた本発明による高速データ伝送方式の移動通信システムにおける移動局受信ダイバーシティ方法は、第１アンテナのパイロットチャネルのＣ／Ｉ値を測定する段階と、第２アンテナのパイロットチャネルのＣ／Ｉ値を測定する段階と、前記二つのパイロットチャネルのＣ／Ｉ値の差が基準レベルより大きい場合、前記第１及び第２アンテナ中より大きいパイロットチャネルのＣ／Ｉ値（第１パイロットチャネルＣ／Ｉ値）のアンテナを通して受信信号を受信する段階と、前記二つのパイロットチャネルのＣ／Ｉ値の差が基準レベルより大きくない場合、前記第１及び第２アンテナのパイロットチャネルを同位相合成する段階とを有することを特徴とする。
【発明の効果】
【００３０】
本発明によるＨＤＲ移動通信システムにおける移動局受信ダイバーシティ装置及びその方法によれば、同期するためのパイロットチャネル又はプリアンブル信号が周期的に存在する順方向無線チャネルで、順方向無線チャネルの任意時点でなく、パイロットチャネル又はプリアンブル信号の開始時点に基づいて最適なダイバーシティ受信状態を決定することで、データを復調する時に発生するエラーを減少し得るという効果がある。
【００３１】
又、複数のアンテナを通過した各パイロットチャネルのＣ／Ｉの変化によって、同位相合成ダイバーシティ及び選択ダイバーシティ受信動作中何れか一つを選択的に行うことで、最適なダイバーシティ受信状態を維持し得るという効果がある。
又、最適なダイバーシティ動作を維持する時間を、現在受信処理された順方向チャネルのパイロットチャネルの変化によって適応的に変化させることで、データ復調誤率を最小化し、無線チャネル環境の変化に適応的にダイバーシティ受信を行えるという効果がある。
又、同位相合成ダイバーシティ及び選択ダイバーシティ動作の全てを行えるため、受信信号の強度が時間によって変化するフェーディング（ｆａｄｉｎｇ）環境でも、さらに、受信信号の強度が時間によって変化しない静的環境でも信号品質を向上し得るという効果がある。
【００３２】
又、受信信号を逆拡散し、該逆拡散された受信信号中パイロットチャネルのＣ／Ｉに基づいて信号品質を測定することで、信号品質を正確に測定し得るという効果がある。
又、各アンテナの受信信号に対して位相シフトを各々行うことで、特定アンテナの受信信号のみを位相シフトして発生した各受信信号間の平均電力不平衡を除去し得るという効果がある。
又、移相器及び合成器を増幅器の次に連結することで、移相器及び合成器から発生する信号損失が全体のダイバーシティ装置に及ぼす影響を最小化し得るという効果がある。
又、最大比率合成技法に係るダイバーシティ装置で適用される遅延器を使用しないことで、遅延器による補助アンテナの受信信号の電力損失、電力損失による受信感度の低下及び平均受信電力不平衡のようなダイバーシティ性能の低下要因が発生しないため、全体のダイバーシティ装置の小型化にも効果がある。
【発明を実施するための最良の形態】
【００３３】
次に、本発明に係るＨＤＲ移動通信システムにおける移動局受信ダイバーシティ装置及びその方法を実施するための最良の形態の具体例を図面を参照しながら説明する。
図１は、本発明に係るＨＤＲ移動通信システムに適用された順方向チャネルの構造を示した図である。
【００３４】
図に示すように、本発明に係るＨＤＲ移動通信システムに適用された順方向チャネルの構造においては、ＨＤＲ順方向チャネルが複数のスロットにより構成され、その一つのスロットは、データチャネル８０と、媒体接続制御（ｍｅｄｉａ  ａｃｃｅｓｓ  ｃｏｎｔｒｏｌ；ＭＡＣ）チャネル８１と、パイロットチャネル８２とから構成されている。
時間分割多重化（Ｔｉｍｅ  Ｄｉｖｉｓｉｏｎ  Ｍｕｌｔｉｐｌｅｘｉｎｇ；ＴＤＭ）方式による伝送においては、順方向チャネルで、全ての物理（ｐｈｙｓｉｃａｌ）チャネルは一つのチャネルに伝送される。又、パイロットチャネル８２は、基地局の同期検波（ｃｏｈｅｒｅｎｔ  ｄｅｔｅｃｔｉｏｎ）のための基準チャネルとして使用され、ＭＡＣチャネル８１は伝送速度制御情報を伝送するために使用され、データチャネル８０は呼処理を制御するための制御情報又は実際に有用な情報を伝送するために使用される。
【００３５】
ＨＤＲ移動通信システムは、順方向チャネルにより全ての使用者に同様なデータ速度を提供せず、順方向チャネルのパイロットチャネルのＣ／Ｉ（Ｃａｒｒｉｅｒ  ｔｏ  Ｉｎｔｅｒｆｅｒｅｎｃｅ  ｒａｔｉｏ）によって可変的なデータ速度を提供する。
即ち、移動局はパイロットチャネルを利用して、その次に伝送されるＭＡＣチャネル及びデータチャネルのデータを復調するための同期検波（ｃｏｈｅｒｅｎｔ  ｄｅｔｅｃｔｉｏｎ）の基準にし、パイロットチャネルのＣ／Ｉを測定して、その測定値によって基地局に順方向のデータ伝送速度を要求する。そのため、パイロットチャネルのＣ／Ｉが良好な地域では最大速度で接続が行われ、パイロットチャネルのＣ／Ｉが不良な地域ではそれより低い速度で接続が行われるため、移動局の受信性能の向上が全体システムの性能に大きな影響を及ぼすようになって、ＨＤＲ移動通信システムの移動局にダイバーシティ装置を具備することが求められている。
【００３６】
又、データチャネルやＭＡＣチャネルで、移動局のダイバーシティ装置がスイッチング及び同位相を合成するための位相シフトを行う場合、突然の位相変化で同期検波（ｃｏｈｅｒｅｎｔ  ｄｅｔｅｃｔｉｏｎ）に問題が発生し、データを復調する時のエラーが増加することで、全体システムの性能が低下されるようになる。
しかしながら、パイロットチャネルが開始する瞬間に移動局のダイバーシティ装置がスイッチング及び位相シフトを行うと、移動局はスイッチング又は位相シフトによるパイロットチャネルのＣ／Ｉ変化程度を正しく確認し得るだけでなく、パイロットチャネルの間、同期検波（ｃｏｈｅｒｅｎｔ  ｄｅｔｅｃｔｉｏｎ）のための位相及び大きさを正しく推定することができる。
【００３７】
従って、本発明は、同期をするためのパイロットチャネル又はプリアンブル信号が周期的に存在する順方向無線チャネルを使用するシステム、例えば、ＨＤＲ移動通信システムで、パイロットチャネル又はプリアンブル信号の開始時点で位相シフト又はスイッチングを行うことで、実際のデータチャネルにおける誤率の増加を防止する。
【実施例】
【００３８】
図２は本発明に係るＨＤＲ移動通信システムにおける移動局受信ダイバーシティ装置を示したブロック図で、図に示すように、本発明に係るＨＤＲ移動通信システムにおける移動局受信ダイバーシティ装置においては、第１及び第２アンテナ１００，１０２と、送受信デュプレクサ（Ｔｘ／Ｒｘ  ｄｕｐｌｅｘｅｒ）１０４と、帯域通過フィルタ（Ｂａｎｄ  Ｐａｓｓ  Ｆｉｌｔｅｒ；ＢＰＦ）１０６と、第１及び第２低雑音増幅器（Ｌｏｗ  Ｎｏｉｓｅ  Ａｍｐｌｉｆｉｅｒ；以下、ＬＮＡと記す）１０８、１１０と、第１及び第２移相器１１２、１１４と、信号合成器１１６と、局部発振器１１８と、ミキサー１２０と、中間周波信号処理部１２２と、受信信号処理部１３０と、送信部１４０とを含んで構成されている。
【００３９】
送受信デュプレクサ１０４は第１アンテナ１００と接続されて送信信号と受信信号とを分離し、第１ＬＮＡ１０８は送受信デュプレクサ１０４から出力された第１受信信号を第１利得制御信号によって増幅し、帯域通過フィルタ１０６は第２アンテナ１０２から受信された第２受信信号から所望の帯域の信号をフィルタリングし、第２ＬＮＡ１１０はフィルタリングされた第２受信信号を第２利得制御信号によって増幅する。
【００４０】
又、第１移相器１１２は第１ＬＮＡ１０８から出力された第１受信信号を第１位相制御信号によって０゜及び９０゜の位相シフトを行い、第２移相器１１４は第２ＬＮＡ１１０から出力された第２受信信号を第２位相制御信号によって０゜及び１８０゜の位相シフトを行う。又、信号合成器１１６は第１及び第２移相器１１２、１１４からの第１及び第２受信信号を合成し、局部発振器１１８は局部発振周波数を発生させ、ミキサー１２０は局部発振周波数を利用して信号合成器１１６からの信号を中間周波数信号に変換する。
【００４１】
又、中間周波信号処理部１２２は変換された中間周波数信号を処理した後、受信信号処理部１３０に出力する。又、受信信号処理部１３０は中間周波数信号を逆拡散（ｄｅｓｐｒｅａｄｉｎｇ）し、逆拡散されたパイロットチャネルのＣ／Ｉを測定し、測定されたパイロットチャネルのＣ／Ｉによって同位相合成ダイバーシティ及び選択ダイバーシティ動作を選択し、チャネル変化状態を感知して、感知されたチャネル変化状態によって選択されたダイバーシティ動作の維持時間を制御する。又、送信部１４０は送信信号を送受信デュプレクサ１０４に送信する。
【００４２】
又、受信信号処理部１３０は、中間周波信号処理部１２２から出力された中間周波数信号をベースバンド信号（ｂａｓｅ  ｂａｎｄ  ｓｉｇｎａｌ）に変換及び逆拡散するベースバンド信号処理部１３１と、ベースバンド信号処理部１３１から逆拡散された各アンテナのパイロットチャネルのＣ／Ｉを測定し、現在選択されたアンテナのパイロットチャネルの変化状態を感知するパイロットチャネルＣ／Ｉ測定器１３２と、測定された各アンテナのパイロットチャネルのＣ／Ｉによって同位相合成ダイバーシティ及び選択ダイバーシティ動作を制御し、感知されたパイロットチャネルの変化状態によって、選択されたダイバーシティ動作の維持時間を決定するダイバーシティ制御部１３３とから構成されている。
【００４３】
以下、このように構成された本発明に係るＨＤＲ移動通信システムにおける移動局受信ダイバーシティ装置の動作に対して説明する。
まず、本発明に係る移動局受信ダイバーシティ装置は、各アンテナの受信信号を逆拡散した後、各パイロットチャネルのＣ／Ｉを測定し、測定された各パイロットチャネルのＣ／Ｉによって同位相合成ダイバーシティ及び選択ダイバーシティ動作中何れか一つを選択する。
【００４４】
このとき、決定されたダイバーシティ受信動作を維持するための維持時間は、固定されたものではなく、感知されたパイロットチャネルの変化状態によって適応的に行われる。即ち、移動局受信ダイバーシティ装置は、現在受信処理されたパイロットチャネルのＣ／Ｉを測定して変化量が大きいと、選択されたダイバーシティ受信動作を維持する維持時間を減少させ、その反面、パイロットチャネルの変化量が小さいと、前記維持時間を増加させ、無線チャネルの環境の変化に応じて、最適なダイバーシティ動作維持時間が決定される。
【００４５】
図３は、本発明に係るＨＤＲ移動通信システムにおける移動局受信ダイバーシティ方法を示したフローチャートである。本発明に係る高速データ伝送方式の移動通信システムの移動局受信ダイバーシティ方法を図２及び図３を参照して説明する。
受信信号処理部１３０のベースバンド信号処理部１３１が第１アンテナ１００に受信された順方向チャネルを逆拡散し、パイロットチャネルＣ／Ｉ測定器１３２は逆拡散された順方向チャネル中パイロットチャネルのＣ／Ｉを測定する。又、ベースバンド信号処理部１３１は、第２アンテナ１０２に受信された順方向チャネルを逆拡散し、パイロットチャネルＣ／Ｉ測定器１３２は逆拡散された順方向チャネル中パイロットチャネルのＣ／Ｉを測定する（ステップＳ２００）。
【００４６】
次いで、第１アンテナ１００に受信された順方向チャネルのパイロットチャネルのＣ／Ｉを測定する時、受信信号処理部１３０のダイバーシティ制御部１３３は第１利得制御信号１０９をイネーブルして第１ＬＮＡ１０８を動作させ、第２利得制御信号１１１をディセイブル（ｄｉｓａｂｌｅ）して第２ＬＮＡ１１０をスイッチオフする。その後、ダイバーシティ制御部１３３が第１利得制御信号１０９をディセイブルし、第２利得制御信号１１１をイネーブルすることで、パイロットチャネルＣ／Ｉ測定器１３２は、第２アンテナ１０２に受信された順方向チャネルのパイロットチャネルのＣ／Ｉを測定することができる。このように、受信信号処理部１３０が使用されないアンテナ側のＬＮＡをスイッチオフすることで、移動局受信ダイバーシティ装置の電力消費を最小化する。
【００４７】
次に、ダイバーシティ制御部１３３は、第１アンテナ１００のパイロットチャネルのＣ／Ｉと第２アンテナ１０２のパイロットチャネルのＣ／Ｉとを比較し、より大きいパイロットチャネルのＣ／Ｉ（最大パイロットチャネルのＣ／Ｉ）を抽出する（ステップＳ２０２）。
この時、ダイバーシティ制御部１３３は、二つのパイロットチャネルのＣ／Ｉの差値が基準レベルより大きいかを確認する（ステップＳ２０４）。
基準レベルは、同位相合成ダイバーシティによる合成信号の信号対雑音比が良好な状態であると判断された各アンテナのパイロットチャネルＣ／Ｉ間の最大差値に設定される。
【００４８】
二つのパイロットチャネルＣ／Ｉの差値が基準レベルより大きい場合、ダイバーシティ制御部１３３は、同位相合成ダイバーシティを受信する場合より選択ダイバーシティを受信する場合に信号品質がより良好であると判断して選択ダイバーシティ動作を選択する。即ち、ダイバーシティ制御部１３３は、二つのパイロットチャネルＣ／Ｉ中より大きいパイロットチャネルＣ／Ｉのアンテナを選択する。
【００４９】
例えば、第１アンテナ１００が選択された場合、受信信号処理部１３０のダイバーシティ制御部１３３は、第１利得制御信号をイネーブルして第１ＬＮＡ１０８を動作させ、移動局受信ダイバーシティ装置は、第１アンテナ１００に受信された受信信号を復調し（ステップＳ２０６）、現在選択されたダイバーシティ受信動作、即ち、第１アンテナ１００の受信信号が選択されたダイバーシティ受信動作を現在の維持時間の間維持する。このように第１アンテナ１００の受信信号を受信処理する間、受信信号処理部１３０のパイロットチャネルＣ／Ｉ測定器１３２は、現在選択された第１アンテナ１００に受信されたパイロットチャネルのＣ／Ｉを測定し、測定されたパイロットチャネルのＣ／Ｉの変化量によって無線チャネルの変化状態を感知する（ステップＳ２１６）。
【００５０】
しかし、ステップＳ２０４で、二つのパイロットチャネルのＣ／Ｉの差値が基準レベルより大きくないと、ダイバーシティ制御部１３３は選択ダイバーシティ受信動作より同位相合成ダイバーシティ動作を選択する。そのため、受信信号処理部１３０のダイバーシティ制御部１３３は、第１及び第２アンテナ１００、１０２の各受信信号が、０゜、９０゜、２７０゜及び１８０゜の位相差で各々合成されるように第１及び第２位相制御信号１１３、１１５を制御し、パイロットチャネルＣ／Ｉ測定器１３２は、それら４種類のケースに対するパイロットチャネルのＣ／Ｉを各々測定する（ステップＳ２０８）。
【００５１】
移動局受信ダイバーシティ装置は、０゜、９０゜、２７０゜及び１８０゜の位相差順に位相シフトを行うことで、第１移相器１１２及び第２移相器１１４が同時に位相シフトされることを防止し、信号安全性を図るようになる。このとき、それら４種類のケースは、第１及び第２アンテナ１００、１０２の各受信信号を位相シフトしない（０゜の位相差で補償した）状態で合成した第１ケース、９０゜の位相差で補償した後合成した第２ケース、２７０゜の位相差で補償した後合成した第３ケース、及び１８０゜の位相差で補償した後合成した第４ケースを各々示している。この時、受信信号処理部１３０は、第１利得制御信号１０９及び第２利得制御信号１１１の全てをイネーブルし、第１アンテナ１００及び第２アンテナ１０２の受信信号が共に合成されるようにする。
【００５２】
次に、受信信号処理部１３０は、測定された４種類の同位相合成された場合の各パイロットチャネルのＣ／Ｉを比較し、最も大きいパイロットチャネルのＣ／Ｉを抽出する（ステップＳ２１０）。
【００５３】
次に、受信信号処理部１３０は、抽出された同位相合成による最も大きいパイロットチャネルのＣ／Ｉ値とステップＳ２０２で抽出された選択ダイバーシティによる最大パイロットチャネルのＣ／Ｉ値とを比較する（ステップＳ２１２）。
このとき、同位相合成による最大パイロットチャネルのＣ／Ｉ値が選択ダイバーシティによる最大パイロットチャネルのＣ／Ｉ値より大きくないと、受信信号処理部１３０はステップＳ２０６に進行して選択ダイバーシティ動作を行う。
【００５４】
しかし、同位相合成による最大パイロットチャネルのＣ／Ｉ値が選択ダイバーシティによる最大パイロットチャネルのＣ／Ｉ値より大きいと、受信信号処理部１３０は、その最大パイロットチャネルＣ／Ｉ値の場合に相当する同位相合成ダイバーシティを行う（ステップＳ２１４）。即ち、同位相合成による最大パイロットチャネルのＣ／Ｉ値が９０゜の位相差で補償した後合成された第２ケースであると、受信信号処理部１３０は、第１アンテナ１００及び第２アンテナ１０２の受信信号を第２ケースによる同位相の合成でダイバーシティ受信する。
【００５５】
又、移動局受信ダイバーシティ装置は、現在決定されたダイバーシティ受信動作、即ち、第２ケースによって、第１アンテナ１００及び第２アンテナ１０２の受信信号を同位相合成ダイバーシティに受信する動作を現在の維持時間の間維持する。
このように、第２ケースによって同位相合成ダイバーシティ受信を処理する間、受信信号処理部１３０のパイロットチャネルＣ／Ｉ測定器１３２は、受信処理された受信信号中パイロットチャネルのＣ／Ｉを測定し、測定されたパイロットチャネルのＣ／Ｉの変化量によって無線チャネルの変化状態を感知する（ステップＳ２１６）。
【００５６】
実際の無線チャネル環境は、移動局が位置した地理的特性及び移動速度によって無線チャネルが頻繁に変化するため、決定されたダイバーシティ受信動作を維持する維持時間は、無線チャネル環境の変化によって変化されるべきである。よって、受信信号処理部１３０は、感知された無線チャネルの変化状態によって、次に決定されるダイバーシティ受信動作を維持する次の維持時間を決定する（ステップＳ２１８）。
【００５７】
例えば、停止中、広大な平地に移動局が位置する時、無線チャネル状態は遅く変化され、パイロットチャネルのＣ／Ｉの変化量が少なくなることで、決定されたダイバーシティ受信動作を維持する維持時間を増加させる。又、都心中で移動する車両内に移動局が位置する時、無線チャネル状態は迅速に変化され、パイロットチャネルのＣ／Ｉの変化量は大きくなることで、維持時間を減少させる。
【００５８】
次に、受信信号処理部１３０は、現在の維持時間が経過されたかを確認し、経過されてないと、現在の維持時間が経過される時まで現ダイバーシティ動作を維持し、経過された時、ステップＳ２００に帰還し、選択ダイバーシティ及び同位相合成ダイバーシティ動作中信号品質のより良好な動作に決定するために、各アンテナのパイロットチャネルのＣ／Ｉ測定を開始する（ステップＳ２２０）。
【００５９】
本発明は、このように順方向チャネル中パイロットチャネルの開始時点でＣ／Ｉを測定し、測定されたＣ／Ｉ値を利用して同位相合成ダイバーシティ及び選択ダイバーシティ動作を選択的に行うことができる。
尚、本発明は、上述の実施形態に限られるものではない、本発明の技術的範囲から逸脱しない範囲内で多様に変更実施することが可能である。
【図面の簡単な説明】
【００６０】
【図１】本発明に係るＨＤＲ移動通信システムに適用される順方向チャネルの構造を示した図である。
【図２】本発明に係るＨＤＲ移動通信システムにおける移動局受信ダイバーシティ装置の構造を示したブロック図である。
【図３】本発明に係るＨＤＲ移動通信システムにおける移動局受信ダイバーシティ方法を示したフローチャートである。
【図４】従来の選択ダイバーシティ技法に係るダイバーシティ装置の一例を示したブロック図である。
【図５】従来の同位相合成ダイバーシティ技法に係るダイバーシティ装置の一例を示したブロック図である。
【図６】従来の最大比率合成ダイバーシティ技法に係るダイバーシティ装置の一例を示したブロック図である。
【図７】従来の最大比率合成ダイバーシティ技法に係るダイバーシティ装置の一例を示したブロック図である。
【符号の説明】
【００６１】
８０        データチャネル
８１        媒体接続制御チャネル
８２        パイロットチャネル
１００、１０２    第１及び第２アンテナ
１０４      送受信デュプレクサ
１０６      帯域通過フィルタ
１０８、１１０    第１及び第２低雑音増幅器
１０９、１１１    第１及び第２利得制御信号
１１２、１１４    第１及び第２移相器
１１３、１１５    第１及び第２位相制御信号
１１６      信号合成器
１１８      局部発振器
１２０      ミキサー
１２２      中間周波信号処理部
１３０      受信信号処理部
１３１      ベースバンド信号処理部
１３２      パイロットチャネルＣ／Ｉ測定器
１３３      ダイバーシティ制御部
【図１】
2004343757.tif 000003
【図２】
2004343757.tif 000004
【図３】
2004343757.tif 000005
【図４】
2004343757.tif 000006
【図５】
2004343757.tif 000007
【図６】
2004343757.tif 000008
【図７】
2004343757.tif 000009